(57)【特許請求の範囲】
【請求項１】
建物の上階の外壁と下屋との接続部を防水構造とする建物の下屋の防水構造であって、前記外壁と下屋とが、予め下屋の表面に仮止めされた防水シートの延長部を外壁にわたして固着することにより防水接続され、前記防水シートの上方を覆う水切り部材が、前記外壁に取り付けられ、前記水切り部材と前記外壁との境界部には、コーキング材が詰め込まれていることを特徴とする建物の下屋の防水構造。
【請求項２】
請求項１に記載の建物の下屋の防水構造において、前記建物は、複数の建物ユニットを組み合わせて建てられるユニット式建物であることを特徴とする建物の下屋の防水構造。
【請求項３】
建物の上階の外壁と下屋との接続部を防水構造とする建物の下屋の防水方法であって、前記下屋に予め防水シートを設けるとともに、その防水シートの延長部を前記下屋の表面に仮止めしておき、前記外壁と下屋とを接続させた後、前記防水シートの延長部を外壁にわたして固着し、前記防水シートの上方を覆って水切り部材を前記外壁に設けて、前記水切り部材と前記外壁との境界部に、コーキング材を詰め込むことを特徴とする建物の下屋の防水方法。
【発明の詳細な説明】
【０００１】
【発明の属する技術分野】
本発明は、建物に設けられる下屋の上端部と建物の外壁とを防水接続する建物の下屋の防水構造およびその下屋の防水方法に関する。
【０００２】
【背景技術】
建物の外壁に差し掛けるようにして設けられる片流れの屋根、すなわち、下屋を備えた建物が知られている。このような下屋では、その上端部と建物の外壁とを防水接続するために、下屋を取り付けた後、当該箇所に防水施工を行っている。
【０００３】
【発明が解決しようとする課題】
ところで、下屋は建物の外壁に接続されており、それぞれの部材の材質等が異なるが、このような場合でも、下屋と建物の外壁とが、容易かつ確実に防水接続としなければならず、そのような防水構造が望まれている。
【０００４】
本発明の目的は、建物の外壁と下屋との接続部の防水施工を、容易かつ確実に行えるようになる建物の下屋の防水構造およびその下屋の防水方法を提供することにある。
【０００５】
【課題を解決するための手段】
本発明に係る建物の下屋の防水構造は、図面を参照して説明すると、図１，３に示すように、建物１の上階４の外壁１４と下屋１６との接続部Ｊを防水構造とする建物の下屋の防水構造であって、前記外壁１４と下屋１６とが、予め下屋１６の表面に仮止めされた防水シート２２の延長部２２Ａを外壁１４にわたして固着することにより防水接続され、前記防水シート２２の上方を覆う水切り部材２５が前記外壁１６に取り付けられ、水切り部材２５と外壁１４との境界部には、コーキング材２６が詰め込まれていることを特徴とするものである。
【０００６】
以上において、防水シート２２の材質は防水性を有するものであれば何でもよく、また、下屋１６は、ユニット式建物やパネル工法による建物等に取り付けることができる。
【０００７】
このような本発明によれば、予め下屋１６に仮止めされた防水シート２２の延長部２２Ａを外壁１４にわたして固着することによって、外壁１４と下屋１６とが防水接続されるので、そのつど、防水シート２２を外壁１４と下屋１６との両側に接続したりせずにすみ、これにより、建物１の外壁１４と下屋１６との接続部Ｊの防水施工を、容易かつ確実に行えるようになる。
【００１０】
本発明の建物の下屋の防水構造において、図１に示すように、建物を、複数の建物ユニット３，４を組み合わせて建てるユニット式建物１としてもよい。
以上において、ユニット式建物１は、柱、梁を含む骨組みを備えた建物ユニットを組み合わせたものでもよく、または、パネルを組み立てて形成される建物ユニットからなる壁式工法のユニット式建物でもよい。
【００１１】
このような本発明によれば、ユニット式建物１の外壁１４と下屋１６との接続部Ｊの防水施工を、容易かつ確実に行えるようになる。
【００１２】
本発明に係る建物の下屋の防水方法は、図面を参照して説明すると、図１，４に示すように、建物１の上階３の外壁１４と下屋１６との接続部Ｊを防水構造とする建物の下屋の防水方法であって、下屋１６に防水シート２２を設けるとともに、その防水シート２２の延長部２２Ａを下屋１６の表面に仮止めしておき、外壁１４と下屋１６とを接続させた後、防水シート２２の延長部２２Ａを外壁１４にわたして固着し、防水シート２２の上方を覆って水切り部材２５を外壁１４に設けて、水切り部材２５と外壁１４との境界部に、コーキング材２６を詰め込むことを特徴とするものである。
【００１３】
以上において、防水シート２２の材質は防水性を有するものであれば何でもよく、また、下屋１６は、ユニット式建物やパネル工法による建物等に取り付けることができる。
【００１４】
このような本発明によれば、予め下屋１６に仮止めした防水シート２２の延長部２２Ａを外壁１４にわたして固着することによって、外壁１４と下屋１６とが防水接続されるので、そのつど、防水部材を外壁１４と下屋１６との両側に接続したりせずにすみ、これにより、建物１の外壁１４と下屋１６との接続部Ｊの防水施工を、容易かつ確実に行えるようになる。
【００１６】
このような本発明によれば、現場で防水シートの延長部２２Ａを外壁１４に張り付ければよいので、手間が少なくてすみ、また防水シートは取扱いやすく、これらにより、作業性が向上する。
【００１７】
【発明の実施の形態】
以下に、本発明の実施形態を図面に基づいて説明する。
図１に示すように、本発明の第１実施形態の下屋に防水構造が施された建物は、例えばユニット式建物１とされ、このユニット式建物１は、基礎２の上に配置された複数の下階建物ユニット３と、これらの下階建物ユニット３の上に載置された上階建物ユニット４とを備えて構成されている。これらの下階および上階建物ユニット３，４は、予め工場で生産された後、トラックで現場に輸送され、その現場で組み合わされるようになっている。
【００１８】
下階および上階建物ユニット３，４は、図３に示すように、四隅に立設される４本の柱１０と、これらの柱１０の上端間同士および下端間同士を結合する各４本の上梁１１、下梁１２とを含む骨組み１３を備えて形成されている。そして、このような骨組み１３に内壁や外壁１４（図４参照）、天井面材や床面材等が取り付けられ、各建物ユニット３，４が完成される。外壁１４は、ＡＬＣ（高温高圧蒸気養生された軽量気泡コンクリート）、防火サイディング等で形成され、本実施形態では、防火サイディングが使用されている
なお、図１において各建物ユニット３，４には、上記外壁１４が取り付けられているものとする。
【００１９】
上階建物ユニット４の上方には、例えば切妻屋根１５が設けられており、上階建物ユニット４が載置されていない下階建物ユニット３の上方には、下屋１６が傾斜状に設けられている。この下屋１６の一端部は、図４等に示すように、上階建物ユニット４の外壁１４と接続されている。そして、これらの切妻屋根１５および下屋１６は、図３に示すように、例えば複数枚の屋根パネル１９で形成されており、これらの屋根パネル１９は、屋根束１７やパネル受けブラケット１８等で支持されている。
【００２０】
屋根パネル１９は、図４に示すように、枠体２０の表面に野地板２１を取り付けて形成され、この野地板２１には、防水部材である防水シート２２および屋根仕上げ材２３等が順次取り付けられている。防水シート２２の一端は、下屋１６の端部、すなわち、枠体２０の端部から外側に所定寸法延びた延長部２２Ａとなっている。そして、この延長部２２Ａは折り返されて屋根仕上げ材２３に、図示しない例えばテープ等で仮止めされている。
【００２１】
このような下屋１６の一端部と上階建物ユニット４の外壁１４との接続部Ｊを防水構造とするには、現場で下屋１６を取り付けた後、屋根仕上げ材２３に仮止めされている防水シート２２の延長部２２Ａを、テープを外すことによってフリーの状態とし、次いでその延長部２２Ａを上階建物ユニット３の外壁１４に接着や釘打ち等によって張り付ける。そして、外壁１４に延長部２２Ａを覆う水切り部材２５を取り付けるとともに、水切り部材２５と外壁１４との境界部に、コーキング材２６を詰め込み、防水構造を充分なものとする。
【００２２】
前述のような本実施形態によれば次のような効果がある。
▲１▼下屋１６の防水シート２２は、下屋１６の一端部で延長部２２Ａとなっており、下屋１６をユニット式建物１に取り付けた後、延長部２２Ａを上階建物ユニット４の外壁１４に張り付けるだけで、上階建物ユニット４の外壁１４と下屋１６との接続部Ｊを防水構造とでき、これにより、接続部Ｊの防水施工を容易かつ確実に行える。
【００２３】
▲２▼防水シート２２は一端が延長部２２Ａとなっているが、この延長部２２Ａはテープ等により予め下屋１６に仮止めされているので、輸送時等に不安定とならない。
【００２４】
▲３▼外壁１４には、この外壁１４に張り付けられた防水シート２２の延長部２２Ａの上方には水切り部材２５が取り付けられており、この水切り部材２５が、防水シート２２の延長部２２Ａの上方を覆うので、延長部２２Ａと外壁１４との接着部から水等が浸入するおそれはなく、防水効果は一段と向上する。
【００２９】
本発明の第２実施形態の下屋の防水構造は、図５に示すようなユニット式建物１’に適用される。すなわち、このユニット式建物１’は、前記第１実施形態のユニット式建物１の下屋１６が、上階建物ユニット４の外壁１４から傾斜状に設けられた平らな屋根であったのに対し、切り妻屋根風の下屋１６’としたものである。なお、この実施形態において、前記第１実施形態の構造と同一構造および同一部材には、同一符号を付すとともに、その詳細な説明は省略または簡略化する。
【００３０】
このようなユニット式建物１’における上階建物ユニット４の外壁１４と下屋１６’との接続部Ｊの防水構造は、前記第１実施形態の図４と同様とする。
そして、このような第２実施形態においても、前記第１実施形態と同様の効果を得ることができる。
【００３１】
なお、本発明は前述の各実施形態に限定されるものではなく、本発明の目的を達成できる範囲であれば次に示すような変形形態を含むものである。例えば、前記第１実施形態では、下屋１６の防水シート２２の一端に延長部２２Ａを形成し、この延長部２２Ａを上階建物ユニット４の外壁１４に張り付けて防水構造としたが、これに限らず、図６に示すように、下屋１６の防水シート２２とは別個の防水シート２２’を準備し、この防水シート２２’の一端を予め屋根パネル１９の屋根仕上げ材２３の上面に接着等で固着するとともに、他端を仮止めしておき、現場で他端を外壁１４に張り付けるようにしてもよい。
【００３３】
【発明の効果】
以上に説明したように、本発明の建物の下屋の防水構造およびその下屋の防水方法によれば、予め外壁と下屋とのうち少なくとも一方に設けた防水部材によって、外壁と下屋とが防水接続されるので、建物の外壁と下屋との接続部の防水施工を、容易かつ確実に行えるようになる。
【図面の簡単な説明】
【図１】  本発明の第１実施形態に係るユニット式建物を示す全体斜視図である。
【図２】  第１実施形態のユニット式建物における下屋の取り付け状態を示す側面図である。
【図３】  第１実施形態のユニット式建物を構成する建物ユニットの骨組みを示す全体斜視図である。
【図４】  第１実施形態の外壁と下屋との接続構造を示す断面図である。
【図５】  本発明の第２実施形態に係るユニット式建物を示す全体斜視図である。
【図６】  本発明の第１実施形態の変形形態に係る外壁と下屋との接続部を示す断面図である。
【符号の説明】
１  建物であるユニット式建物
４  上階建物ユニット
１４  外壁
１６  下屋
２２  防水部材である防水シート
Ｊ  外壁と下屋との接続部
【図１】
0003704389.tif 000002
【図２】
0003704389.tif 000003
【図３】
0003704389.tif 000004
【図４】
0003704389.tif 000005
【図５】
0003704389.tif 000006
【図６】
0003704389.tif 000007